(57)【要約】【課題】包装容器に収容された菓子類と、菓子類を喫食後不要となったゴミ類とが容器内で直接接触せず、容器内に菓子類とゴミ類とを良好に分離収容できる包装容器を提供すること。【解決手段】包装容器１は、筒状をし、両端が開口した外スリーブ３と、外スリーブ３に引き出し可能に嵌められた収容空間１６を有する内容器４とを備え、内容器４には、収容空間１６を第１の収容室９および第２の収容室１８に仕切るための柔軟な仕切りフィルム１７が設けられており、外スリーブ３から内容器４の一端側が引き出されることにより、第１の収容室９に収容された物を取り出すことができ、内容器４の他端側には、第２の収容室１８へ物を挿入でき、挿入した物が戻り出ることのない一方向入口１２が備えられている。【効果】柔軟な仕切りフィルムを利用して、噛みカス等のゴミを仕切りフィルムで囲まれた閉空間内に収容する、衛生的な構成の包装容器を提供できる。【選択図】図２
2018047913.tif 000002
【特許請求の範囲】
【請求項１】
筒状をし、両端が開口した外スリーブと、
前記外スリーブに引き出し可能に嵌められた収容空間を有する内容器とを備え、
前記内容器には、前記収容空間を第１の収容室および第２の収容室に仕切るための柔軟な仕切りフィルムが設けられており、
前記外スリーブから前記内容器の一端側が引き出されることにより、前記第１の収容室に収容された物を取り出すことができ、
前記内容器の他端側には、前記第２の収容室へ物を挿入でき、挿入した物が戻り出ることのない一方向入口が備えられていることを特徴とする、包装容器。
【請求項２】
前記内容器は、底面、左右側面、前面および後面を有し、上面は開放された舟形形状であり、
前記仕切りフィルムの上面と前記外スリーブとの間に前記第１の収容室が区画され、前記仕切りフィルムの下面と前記内容器の底面との間に前記第２の収容室が区画されるように、前記仕切りフィルムの外縁部は前記内容器の内側面と接着されていることを特徴とする、請求項１に記載の包装容器。
【請求項３】
前記内容器は、一枚のブランクから組み立てられ、底壁と、底壁の左右両側縁に連設されて折り曲げられる左右側壁と、底壁の他方端縁に連設されて折り曲げられる後壁と、左右側壁の他方端縁にそれぞれ連設されて折り曲げられる一対のフラップ片と、を含み、
前記後壁には前記一方向入口となる開口が形成されており、
前記仕切りフィルムは、前記ブランクの形状に対応した外縁形状の柔軟なフィルムを含み、前記ブランクの左右側壁の上縁部とそれに対応する前記仕切りフィルムの縁部、前記ブランクの後壁の先縁部とそれに対応する仕切りフィルムの縁部、および、前記ブランクの底壁の一方端縁寄りの縁部とそれに対応する仕切りフィルムの縁部が、それぞれ、接着されていることを特徴とする、請求項１または２に記載の包装容器。
【請求項４】
前記内容器を構成する一枚のブランクの前記後壁には、当該後壁の先端に連設されて折り曲げられる折り返しフラップが備えられており、
前記仕切りフィルムの前記後壁に対応する縁部は、この折り返しフラップと接着されていることを特徴とする、請求項３に記載の包装容器。
【請求項５】
前記仕切りフィルムは、透明な樹脂フィルムを含むことを特徴とする、請求項１〜４のいずれか一項に記載の包装容器。
【請求項６】
前記仕切りフィルムは、半透明な樹脂フィルムを含むことを特徴とする、請求項１〜４のいずれか一項に記載の包装容器。
【請求項７】
前記仕切りフィルムは、不透明な樹脂フィルムを含むことを特徴とする、請求項１〜４のいずれか一項に記載の包装容器。
【請求項８】
前記内容器を構成する一枚のブランクは、前記底壁の一方端縁に連設されて折り曲げられる前壁と、前記左右側壁の一方端縁にそれぞれ連設されて折り曲げられる一対のフラップ片と、前記左右側壁の一方端縁側部から側方へ突設されて折り曲げられる一対のサブフラップ片とを備え、
前記仕切りフィルムは、これら前壁、一対のフラップ片、および一対のサブフラップ片と対向する部位は有していないことを特徴とする、請求項１〜７のいずれか一項に記載の包装容器。
【請求項９】
前記前壁は、外前壁、折り返し片、内前壁および固定片の順に折り曲げられる一連の４部分を含み、
前記折り返し片と内前壁との境界に前記外スリーブに形成された係止片の挿入用切り込みが形成されていることを特徴とする、請求項８に記載の包装容器。
【請求項１０】
容器の一方端面側に、容器に収容された内容物を取り出すための取り出し口が設けられており、
容器の他方端面側に挿入した物が戻り出ることのない一方向入口が形成されている包装容器において、
前記容器内に形成された収容空間を第１の収容室および第２の収容室に仕切るための柔軟な仕切りフィルムが設けられており、
前記取り出し口から取り出される内容物は前記第１の収容室に収容され、
前記一方向入口から前記容器に挿入される物は前記第２の収容室に収容されることを特徴とする、包装容器。
【請求項１１】
収容空間を有する容器であって、
前記容器には、前記収容空間を第１の収容室および第２の収容室に仕切るための柔軟な仕切りフィルムが設けられており、
前記容器の一端側を開封することにより、前記第１の収容室に収容された物を取り出すことができ、
前記容器の他端側には、前記第２の収容室へ物を挿入でき、挿入した物が戻り出ることのない一方向入口が備えられていることを特徴とする、包装容器。
【発明の詳細な説明】
【技術分野】
【０００１】
この発明は、包装容器に関し、特に菓子類を収容するための包装容器に関する。
【背景技術】
【０００２】
菓子を喫食する際、剥がした包み紙や、ガムを噛み終わったカスなど不要なものが発生する。このような菓子の喫食中や喫食後に不要になったものを収容できる機能を付与した菓子用の包装容器が、従来より提案されている。
たとえば特許文献１には、内容物を収容する第１の収容空間と、第１の収容空間と隔離板により独立して設けられた第２の収容空間とがその内部に設けられた包装容器が提案されている。
【０００３】
特許文献１に提案の包装容器は、中箱１０の中に同じ紙材で空間側面板２６、２７および連設板２８を配置し、ゴミ３０が充填されると、ゴミ３０がこれら空間側面板２６、２７および連設板２８を内部から菓子２９が配置される内容物収容空間４０側に向かって押圧するという構成になっている。
特許文献２には、容器本体およびスリーブから構成された包装容器において、切り離し可能な仕切り板１６を設け、切り離された仕切り板１６を容器本体内で移動させることによって、容器本体に収容された菓子の取り出しによって発生した空きスペースを利用して菓子の包み紙等を収容する構成が提案されている。
【０００４】
特許文献３に開示された菓子用紙箱は、その内部に配置された分離板５によってゴミと菓子との収容空間を区分するものである。
【先行技術文献】
【特許文献】
【０００５】
【特許文献１】特許第４８８７６５９号公報
【特許文献２】特開２００９−００７０４２号公報
【特許文献３】特開平０６−１３５４３６号公報
【発明の概要】
【発明が解決しようとする課題】
【０００６】
特許文献１に開示された包装容器は、収容空間を第１の収容空間と第２の収容空間とに分離するための構成が複雑であり、特に紙製ブランクで包装容器を作成する場合に、作成が困難であったり、構成が複雑になるという欠点がある。
特許文献２に提案の包装容器は、仕切り片１６という紙片を境にして、菓子とゴミとを容器内で分離する構成であるが、その使い勝手が悪いという欠点がある。また、仕切り板を注意深く移動させなければ、菓子とゴミとが接触する虞れもある。
【０００７】
特許文献３に開示された菓子用紙箱は、分離板は板紙で形成されており、容器内における移動がしにくかったり、分離板として十分に機能しないおそれがある。
この発明は、上述の背景の元になされたもので、包装容器に収容された菓子類と、菓子類を喫食後不要となったゴミ類とが容器内で直接接触せず、容器内に菓子類とゴミ類とを良好に分離収容できる包装容器を提供することを主たる目的とする。
【０００８】
また、この発明は、外スリーブと外スリーブに引き出し可能に嵌められた内容器とを有する包装容器であって、内容物の取り出しが容易で、かつ、内容物を取り出した後の空き空間にゴミを容易に収容でき、しかも内容物とゴミとが直接接触しない構造の新規な包装容器を提供することを他の目的とする。
【課題を解決するための手段】
【０００９】
請求項１記載の発明は、筒状をし、両端が開口した外スリーブと、前記外スリーブに引き出し可能に嵌められた収容空間を有する内容器とを備え、前記内容器には、前記収容空間を第１の収容室および第２の収容室に仕切るための柔軟な仕切りフィルムが設けられており、前記外スリーブから前記内容器の一端側が引き出されることにより、前記第１の収容室に収容された物を取り出すことができ、前記内容器の他端側には、前記第２の収容室へ物を挿入でき、挿入した物が戻り出ることのない一方向入口が備えられていることを特徴とする、包装容器である。
【００１０】
請求項２記載の発明は、前記内容器は、底面、左右側面、前面および後面を有し、上面は開放された舟形形状であり、前記仕切りフィルムの上面と前記外スリーブとの間に前記第１の収容室が区画され、前記仕切りフィルムの下面と前記内容器の底面との間に前記第２の収容室が区画されるように、前記仕切りフィルムの外縁部は前記内容器の内側面と接着されていることを特徴とする、請求項１に記載の包装容器である。
【００１１】
請求項３記載の発明は、前記内容器は、一枚のブランクから組み立てられ、底壁と、底壁の左右両側縁に連設されて折り曲げられる左右側壁と、底壁の他方端縁に連設されて折り曲げられる後壁と、左右側壁の他方端縁にそれぞれ連設されて折り曲げられる一対のフラップ片と、を含み、前記後壁には前記一方向入口となる開口が形成されており、前記仕切りフィルムは、前記ブランクの形状に対応した外縁形状の柔軟なフィルムを含み、前記ブランクの左右側壁の上縁部とそれに対応する前記仕切りフィルムの縁部、前記ブランクの後壁の先縁部とそれに対応する仕切りフィルムの縁部、および、前記ブランクの底壁の一方端縁寄りの縁部とそれに対応する仕切りフィルムの縁部が、それぞれ、接着されていることを特徴とする、請求項１または２に記載の包装容器である。
【００１２】
請求項４記載の発明は、前記内容器を構成する一枚のブランクの前記後壁には、当該後壁の先端に連設されて折り曲げられる折り返しフラップが備えられており、前記仕切りフィルムの前記後壁に対応する縁部は、この折り返しフラップと接着されていることを特徴とする、請求項３に記載の包装容器である。
請求項５記載の発明は、前記仕切りフィルムは、透明な樹脂フィルムを含むことを特徴とする、請求項１〜４のいずれか一項に記載の包装容器である。
【００１３】
請求項６記載の発明は、前記仕切りフィルムは、半透明な樹脂フィルムを含むことを特徴とする、請求項１〜４のいずれか一項に記載の包装容器である。
請求項７記載の発明は、前記仕切りフィルムは、不透明な樹脂フィルムを含むことを特徴とする、請求項１〜４のいずれか一項に記載の包装容器である。
請求項８記載の発明は、前記内容器を構成する一枚のブランクは、前記底壁の一方端縁に連設されて折り曲げられる前壁と、前記左右側壁の一方端縁にそれぞれ連設されて折り曲げられる一対のフラップ片と、前記左右側壁の一方端縁側部から側方へ突設されて折り曲げられる一対のサブフラップ片とを備え、前記仕切りフィルムは、これら前壁、一対のフラップ片、および一対のサブフラップ片と対向する部位は有していないことを特徴とする、請求項１〜７のいずれか一項に記載の包装容器である。
【００１４】
請求項９記載の発明は、前記前壁は、外前壁、折り返し片、内前壁および固定片の順に折り曲げられる一連の４部分を含み、前記折り返し片と内前壁との境界に前記外スリーブに形成された係止片の挿入用切り込みが形成されていることを特徴とする、請求項８に記載の包装容器である。
請求項１０記載の発明は、容器の一方端面側に、容器に収容された内容物を取り出すための取り出し口が設けられており、容器の他方端面側に挿入した物が戻り出ることのない一方向入口が形成されている包装容器において、前記容器内に形成された収容空間を第１の収容室および第２の収容室に仕切るための柔軟な仕切りフィルムが設けられており、前記取り出し口から取り出される内容物は前記第１の収容室に収容され、前記一方向入口から前記容器に挿入される物は前記第２の収容室に収容されることを特徴とする、包装容器である。
【００１５】
請求項１１記載の発明は、収容空間を有する容器であって、前記容器には、前記収容空間を第１の収容室および第２の収容室に仕切るための柔軟な仕切りフィルムが設けられており、前記容器の一端側を開封することにより、前記第１の収容室に収容された物を取り出すことができ、前記容器の他端側には、前記第２の収容室へ物を挿入でき、挿入した物が戻り出ることのない一方向入口が備えられていることを特徴とする、包装容器である。
【発明の効果】
【００１６】
この発明によれば、使い勝手が良く、しかも内容物とガムの噛みカス等のゴミとを接触しない状態で収容できる衛生的な包装容器を提供できる。またこの発明によれば、柔軟な仕切りフィルムを利用して、噛みカス等のゴミを仕切りフィルムで囲まれた閉空間内に収容する、衛生的な構成の包装容器を提供できる。
【図面の簡単な説明】
【００１７】
【図１】図１は、この発明の一実施形態に係る包装容器１を一端側から見た斜視図であり、図１（Ａ）は、外スリーブ３に内容器４が嵌め込まれた状態の斜視図であり、図１（Ｂ）は、外スリーブ３から内容器４の一端側が引き出された状態の斜視図である。
【図２】図２（Ａ）は、包装容器１を他端側（後方側）から見た斜視図であり、図２（Ｂ）は、包装容器１の中央部縦断面の図解図である。
【図３】図３は、包装容器１の展開図であり、図３（Ａ）は外スリーブ３を構成するブランクの形態図（展開図）であり、図３（Ｂ）は内容器４を構成するブランクの形態図（展開図）である。
【図４】図４は、内容器４を構成するブランク４０と内容器４に設けられる仕切りフィルム１７との関係を説明するための展開図である。
【図５】図５は、図４に示すブランク４０に仕切りフィルム１７が重ねられて接着された後、ブランク４０が組み立てられた状態の内容器４の後方部分を描いた斜視図である。
【図６】図６は、第１収容室９と第２収容室１８と仕切りフィルム１７との関係を示す図である。
【図７】図７は、一方向入口１２から噛みカス２０を挿入する様子を示す図である。
【図８】図８は、一方向入口１２から噛みカス２０を挿入する様子を示す断面図である。
【図９】図９は、仕切りフィルム１７の別の外縁形態を表わす展開図である。
【図１０】図１０は、外スリーブ３と、外スリーブ３に引き出し可能に嵌められた内容器４との、嵌め合わせ状態および引き出し状態における係止爪５と切り込み７との作用を説明するための図である。
【図１１】図１１（Ａ）は、この発明の他の実施形態に係る包装容器６０の一方向入口部分を開いた状態の斜視図であり、図１１（Ｂ）は、包装容器６０の展開図である。
【図１２】図１２は、包装容器６０の縦断面図であり、包装容器６０における仕切りフィルム６８の機能を説明するための図解的な縦断面図である。
【図１３】図１３は、フラップの変形例を示す図である。
【発明を実施するための形態】
【００１８】
以下には、図面を参照して、この発明の実施形態について具体的に説明をする。
以下に説明する実施形態では、包装容器の一例として、内容物がガムである場合の包装容器であって、ガムの噛みカスをゴミとして収容可能なものを取り上げて説明する。しかし、この発明は、ガム用の包装容器に限定されるものではない。内容物としては、ガム以外の菓子、たとえば、チョコレート、チョコレート菓子、キャンディ、グミ、錠菓、ビスケット、スナック、煎餅、和菓子等でもよい。また、ガムの噛みカスを、ゴミとして説明するが、ゴミはこれに限定されるものではない。たとえば、内容物の包装材（個包装材）や、当該包装容器を包む包装材等の不要物であってもよい。
【００１９】
図１（Ａ）は、この発明の一実施形態に係る包装容器１を一端側（前方側）から見た斜視図であり、外スリーブ３に内容器４が嵌め込まれた状態の斜視図である。また、図１（Ｂ）は、包装容器１を一端側（前方側）から見た斜視図であり、外スリーブ３から内容器４の一端側（前方側）が引き出された状態の斜視図である。
図１（Ａ），図１（Ｂ）に示すように、この実施形態に係る包装容器１は、筒状をし、両端が開口した外スリーブ３と、外スリーブ３に引き出し可能に嵌められた内容器４とを備える。外スリーブ３に内容器４が嵌め込まれた状態では、外スリーブ３の前方端縁部に形成された係止爪５が内容器４の前方側の上面（折り返し部６の後端縁に形成された挿入用切り込み７）に嵌まり、内容器４は外スリーブ３に嵌め込まれた状態が保持される（図１（Ａ）参照）。
【００２０】
一方、外スリーブ３から前方へ内容器４を引き出した状態では、図１（Ｂ）に示すように、内容器４の開放された上面８を通して第１収容室９内に収容された内容物１０（内容物１０は、この実施形態では個包装された粒ガムである。）を露出させることができる。そして第１収容室９から内容物１０を取り出すことができる。
図２（Ａ）は、包装容器１を他端側（後方側）から見た斜視図であり、図２（Ｂ）は、包装容器１の中央部縦断面の図解図である。
【００２１】
図２（Ａ）を参照して、包装容器１の他端側（後方側）には、一方向入口１２が設けられている。一方向入口１２は内容器４の後端面（後壁４４）に形成された開口１４と、一対のフラップ片１５とを含む構成である。一方向入口１２は、内容器４の他端側（後方側）から内容器４内の収容空間へ物を挿入するための入口であり、挿入した物が戻り出ることのない構造とされている。
【００２２】
この実施形態に係る包装容器１の特徴の１つは、図２（Ｂ）を参照して、内容器４内の収容空間１６が、内容器４内に設けられた柔軟な仕切りフィルム１７によって第１収容室９と第２収容室１８とに仕切られていることである。そして、初期の状態では、仕切りフィルム１７は、その下面全体が内容器４の底面１９に当接した状態となっており、仕切りフィルム１７の上面と外スリーブ３との間に第１収容室９が区画された状態となっている。また、初期状態では、第２収容室１８は実質的な収容空間を有さない状態となっている。そして第１収容室９には内容物である内容物（個包装粒ガム）１０が収容されている。
【００２３】
このため、図１（Ｂ）に示すように、外スリーブ３から内容器４を引き出すと、内容器４の収容空間全体を占めている第１収容室９が現れ、第１収容室９に収容された内容物１０を取り出すことができる。
取り出された内容物１０が食され、噛み終わったガムカスはたとえば個包装紙に包んで噛みカス２０として一方向入口１２から内容器４内へ挿入することができる。一方向入口１２から挿入される噛みカス２０は、仕切りフィルム１７と内容器４の底面１９との間に収容される。すなわち、仕切りフィルム１７の後端部１７１は内容器４の後壁４４の上縁に連設された折り返しフラップ４５に接着されている。このため、一方向入口１２の開口１４から内容器４内へ挿入される噛みカス２０は、柔軟な仕切りフィルム１７を持ち上げ、仕切りフィルム１７の下面と内容器４の底面１９との間を広げて収容空間を作り、そこに区画される第２収容室１８へと挿入される。
【００２４】
このように、内容器４の収容空間１６は、仕切りフィルム１７によって、第１収容室９と第２収容室１８とに区画されている。それゆえ、第１収容室９に収容されている内容物１０の量および第２収容室１８へ挿入される噛みカス２０等の挿入量に応じて、仕切りフィルム１７は、第１収容室９の容積と第２収容室１８の容積とを自在に変更しつつ第１収容室９と第２収容室１８とを確実に仕切る。よって、両収容室内の収容物同士が直接接触することはない。
【００２５】
図３は包装容器１の展開図であり、図３（Ａ）は外スリーブ３を構成するブランクの形態図（展開図）であり、図３（Ｂ）は内容器４を構成するブランクの形態図（展開図）である。
外スリーブ３のブランク３０は、上壁３１と、上壁３１の左右両側に連設されて折り曲げられる左右側壁３２、３３と、右側壁３３に連設されて折り曲げられる底壁３４と、左側壁３２に連設されて折り曲げられ、左側壁３２と底壁３４とを接合するための糊代３５とを有している。ブランク３０に含まれる各構成部位は折り線３６に沿って折り曲げられ筒状となり、底壁３４と糊代３５とが接合される。
【００２６】
上壁３１の一端縁（前方側）には、凹欠部３７が形成されるとともに、凹欠部３７内に突出するように係止爪５が形成されている。底壁３４および糊代３５の前方側にも、凹欠部３７が形成されている。凹欠部３７は外スリーブ３から内容器４の前方側を引き出し易くするために形成されたものである。
次に、図３（Ｂ）を参照して、内容器４のブランク４０の説明をする。ブランク４０は、底壁４１と、底壁４１の左右両側縁に連設されて折り曲げられる左右側壁４２、４３と、底壁４１の後方端縁に連設されて折り曲げられる後壁４４および後壁４４の先端に連設されて折り曲げられる折り返しフラップ４５と、左右側壁４２、４３の後端縁にそれぞれ連設されて折り曲げられる一対のフラップ片１５と、底壁４１の前方端縁に連設されて折り曲げられる外前壁４６、折り返し部６、内前壁４７、固定片４８を含む前壁４９と、左右側壁４２、４３の前方端縁にそれぞれ連設されて折り曲げられる一対のフラップ片５１と、左右側壁４２、４３の前方端縁側部から側方へ突設されて折り曲げられる一対のサブフラップ片５２とを含んでいる。
【００２７】
そして、後壁４４にはその中央部に一方向入口を構成するための開口１４が形成されている。開口１４は、この実施形態では、底壁４１の後端縁を跨いで開いた形態とされている。
なお、この実施形態では、開口１４は、ブランク４０に最初から形成されているものとして説明するが、開口１４の位置には、ミシン目で繋がった蓋が設けられていて、のちに、この蓋を引き千切る（取り外す）ことにより、開口が生じる構成としてもよい。
【００２８】
また、折り返し部６と内前壁４７との境界部には係止爪５を挿入するための挿入用切り込み７が形成されている。
ブランク４０は、折り線５３に沿って折り曲げられ、上面が開放された舟形形状の内容器４に組み立てられる。
図４は、内容器４を構成するブランク４０と内容器４に設けられる仕切りフィルム１７との関係を説明するための展開図である。
【００２９】
図４において、グレーで着色した領域（形態）が仕切りフィルム１７の展開図である。また、仕切りフィルム１７におけるその輪郭部分に施されたハッチング領域が、仕切りフィルム１７とブランク４０との接着領域を示している。
具体的に説明すると、仕切りフィルム１７は、ブランク４０の形状に対応した外縁形状、すなわちブランク４０とほぼ等しい外縁形状をした柔軟な透明フィルム、半透明フィルムまたは不透明フィルム等の樹脂フィルムにより構成されている。そしてブランク４０の左側壁４２および右側壁４３の上縁部（各壁が立ち上がった際の上縁部分である。）に対応する仕切りフィルム１７の縁部１７２、１７３がブランク４０の左側壁４２および右側壁４３と接着されている。また、ブランク４０の折り返しフラップ４５の先端部と対応する仕切りフィルム１７の後端部１７１は、折り返しフラップ４５と接着されている。さらに、ブランク４０の底壁４１の前方端縁寄りの縁部および左右側壁４２、４３の前方端縁寄り縁部に対応する仕切りフィルム１７の前方縁部１７４は、ブランク４０の底壁４１および左右側壁４２、４３の前方端縁部と接着されている。この実施形態の特徴は、開口１４が形成された後壁４４の周縁部において、仕切りフィルム１７とブランク４０とが接着されていないことである。すなわち、領域１７５、１７６の部位では、ブランク４０と仕切りフィルム１７とが接着されていない。
【００３０】
これにより、開口１４から底壁４１と仕切りフィルム１７とで仕切られた第２収容室１８に物を挿入する際に、開口１４周囲の仕切りフィルム１７が柔軟に変形するためのゆとりを確保でき、開口１４から第２収容室１８を拡げられるという効果を奏する。
言葉を変えれば、開口１４の近傍において、仕切りフィルム１７の縁部は内容器の内壁と接着されておらず仕切りフィルム１７は自在に変形し得る。これにより、開口１４から第２収容室１８を前方に向かって拡開していくことができる。
【００３１】
図５は、図４に示すブランク４０に仕切りフィルム１７が重ねられて接着された後、ブランク４０が組み立てられた状態の内容器４の後方部分を描いた斜視図である。
すなわち、初期状態では、内容器４は図６（Ａ）に示すように、仕切りフィルム１７の上面と外スリーブ３とで区画される第１収容室９が収容空間１６のほぼ全体を占めている。しかし、開口１４から物を挿入することにより、挿入した物により仕切りフィルム１７は上方へ柔軟に変位し、仕切りフィルム１７の下面と内容器４の底面１９との間に収容空間が生じて第２収容室１８が区画され、第２収容室１８は次第に内容器４の前方へとその容積を拡げていくことができるものである。
【００３２】
また、ブランク４０が組み立てられた当初は、一対のフラップ片１５は第１収容室９の内側に位置しているが、仕切りフィルム１７が柔軟に変位し得るため、一対のフラップ片１５を第１収容室９の外側に位置させることが可能となる。このことにより、一方向入口１２を、開口１４と一対のフラップ片１５から形成することが可能となり、挿入した物が戻り出ることのない構造とすることができる。
【００３３】
図７（Ａ）および図７（Ｂ）は、包装容器１の後方側の斜視図であり、噛みカス２０を外側から一方向入口１２へ押し込むことで、フラップ片１５が押されて回動する。これにより、開口１４に、噛みカス２０を通すことができる隙間が形成され、また仕切りフィルム１７が撓んで、噛みカス２０は押されながら内部に入る。
図８（Ａ）は、包装容器１の後端側を上から見た断面図であり、噛みカス２０が一方向入口１２を通過中の状態を示し、図８（Ｂ）は、この状態の包装容器１の後端側を左右方向から見た断面図であり、図８（Ｃ）は、包装容器１の後端側を上から見た断面図であり、噛みカス２０が一方向入口１２を通過した後の状態を示す。
【００３４】
図８（Ａ）および図８（Ｂ）を参照して、一対のフラップ片１５は、内容器４の左右側壁３２、３３から折り曲げられて連設されている。また、内容器４は、後壁４４から折り返された折り返しフラップ４５を有している。折り返しフラップ４５は、一対のフラップ片１５が開くときに、フラップ片１５の上端と接するようになっている。折り返しフラップ４５は、フラップ片１５が開くのを抑制するように作用する。
【００３５】
図８（Ａ）および図８（Ｃ）を参照して、一対のフラップ片１５は、可動端が互いに近接した閉じた状態（図８（Ｃ）に示す状態）と、可動端が互いに遠ざかった開いた状態（図８（Ａ）に示す状態）との間で変位できる。フラップ片１５は、開いた状態では、閉じた状態に向けて自立的に戻るように構成されている。その結果、噛みカス２０が一対のフラップ片１５の間の隙間を通過した後、フラップ片１５は閉じる向きに回動する。従って、挿入された噛みカス２０が後方へ戻ることは阻止される。
【００３６】
また、噛みカス２０を一方向入口１２から入れると、噛みカス２０は仕切りフィルム１７を変形させて仕切りフィルム１７の下面と内容器４の底面１９との間の第２収容室１８を拡開しつつ、この第２収容室１８内に噛みカス２０を収容する。
図９は、仕切りフィルム１７の別の外縁形態を表わす展開図である。
仕切りフィルム１７の先端部側は、内容器４を構成するブランク４０の底壁４１および左右側壁４２、４３の先端部まで延びておらず、底壁４１、左右側壁４２、４３の先端縁からやや後方に下がった位置において、ブランク４０の内面と仕切りフィルム１７の先端縁とが接着された構成とされている。この場合、仕切りフィルム１７と底壁４１との間に区画される第２収容空間１８の容積は狭まるが、何ら問題はない。
【００３７】
図１０は、外スリーブ３と、外スリーブ３に引き出し可能に嵌められた内容器４との、嵌め合わせ状態および引き出し状態における係止爪５と切り込み７との作用を説明するための図である。
図１０（Ａ）に示すように、外スリーブ３に対して内容器４を嵌め合わせた状態では、外スリーブ３の係止爪５が内容器４の切り込み７に差し込まれ（この係止爪５の差し込みは、係止爪５の折り曲がり弾発力により行われる。）、外スリーブ３に対して内容器４が所定の嵌め込み位置で係止される。
【００３８】
一方、内容器４の先端部を指で持ち、内容器４を外スリーブ３から前方へ引き出すと、係止爪５と切り込み７との係合が解除されて、内容器４は外スリーブ３から前方へ引き出すことができる（図１０（Ｂ））。そして、内容器４を外スリーブ３に押し戻し、外スリーブ３に対して内容器４が所定の位置になると、係止爪５と切り込み７とが係合して、図１０（Ａ）の状態になる。
【００３９】
なお、この状態からさらに内容器４を外スリーブ３に押し込めば、外スリーブの先端と内容器４の先端とが一致した状態となり、その場合において、係止爪５と挿入用切り込み７との関係は、図１０（Ｃ）に示す状態となる。この状態から内容器４の後方側を押し、内容器４をやや引き出せば、図１０（Ａ）に示す状態に戻る。
なお、図１０にて図示される、係止爪５と切り込み７により形成される係合構造は、本願発明においては必須のものではなく、例えば、前壁４９が単に垂直方向に伸びる１枚の板からなるものであってもよい。
【００４０】
図１１（Ａ）は、この発明の他の実施形態に係る包装容器６０の一方向入口部分を開いた状態の斜視図である。また、図１１（Ｂ）は、包装容器６０の展開図である。さらに、図１２（Ａ）および図１２（Ｂ）は、包装容器６０の縦断面図であり、包装容器６０における仕切りフィルム６８の機能を説明するための図解的な縦断面図である。
図１１および図１２を参照して、包装容器６０の構成と機能とについて説明をする。
【００４１】
包装容器６０は、直方体の箱形形状をしており、たとえば１枚のブランクを組み立てて形成された紙箱である。包装容器６０の一方端面側（図では下方側）には、包装容器６０に収容された内容物を取り出すための取り出し口６２が設けられている。取り出し口６２は、蓋６３によって閉鎖されており、蓋６３を開くことにより取り出し口６２が現れる。
包装容器６０の他方端面側（図では上方側）には、一方向入口６４が形成されている。一方向入口６４は、蓋６５に形成された開口６６と、一対のフラップ６７とを含む構成である。蓋６５を閉じた状態において、開口６６から容器内に物を入れると、一対のフラップ６７が押し広げられて中に物が入る。そして一対のフラップ６７は元に戻るから、中に入った物は戻り出ることのない、一方向入口となっている。
【００４２】
包装容器６０内には、内部の収容空間を第１収容室および第２収容室に仕切るための柔軟な樹脂製の仕切りフィルム６８が設けられている。仕切りフィルム６８は、包装容器６０を構成する底壁７１、左右側壁７２、７３および蓋６５、フラップ７４を含むブランクの外形とほぼ等しい形状か、それよりもやや大きめの余裕のある形状とされている。そして、フラップ７４の先端部と仕切りフィルム６８の先端部とが接着され、かつ、左右側壁７２、７３の上縁部および左右側壁の下端部および底壁７１の下端部と仕切りフィルム６８の下端部とが接着されている。ここで、ポイントとしては、蓋６５の両側縁部および左右側壁７２、７３の上端部は、仕切りフィルム６８と接着されていないことである。これにより、開口６６から物を入れる際に、一方向入口６４付近の仕切りフィルム６８が柔軟に変形し、仕切りフィルム６８と底壁７１との間に第２の収容空間を作ることができるものである。
【００４３】
すなわち、図１２（Ａ）に示すように、初期の状態では仕切りフィルム６８は底壁７１側に位置しており、包装容器６０内には第１の収容室７５が区画されている。
一方、一方向入口６４から物を入れていくと、仕切りフィルム６８が移動して、仕切りフィルム６８と底壁７１との間に第２の収容室７６が区画されるので、第１の収容室７５とは仕切りフィルム６８により分離された第２の収容室７６が広がっていく構成である。
【００４４】
包装容器６０が組み立てられた当初は、一対のフラップ６７は第１の収容室７５の内側に位置しているが、仕切りフィルム６８が柔軟に変形し得るため、一対のフラップ６７を第１の収容室７５の外側に位置させることが可能となる。このことにより、一方向入口６４を、開口６６と一対のフラップ６７から形成することが可能となり、挿入した物が戻り出ることのない構造とすることができる。
【００４５】
このように、この実施形態においても、柔軟な仕切りフィルム６８を用いることにより、包装容器６０の収容空間を、第１の収容空間７５と第２の収容空間７６とに、確実に区画することができる。
なお、図１１および図１２に示す包装容器６０において、一対のフラップ６７の形態は、左右対称なフラップに限らず、図１３（Ａ），図１３（Ｂ），図１３（Ｃ）に示すように、左右非対称の対をなすフラップ６７としてもよい。
【００４６】
この発明は、以上説明した実施形態に限定されるものではなく、請求項記載の範囲内において種々の変更が可能である。
例えば、開口１４、６６は、上記実施形態では、最初からくり抜かれたものとして説明したが、開口１４、６６には、それぞれ、最初はミシン目などで繋がった蓋がついていてもよい。たとえば、図３等に示す実施形態では、ブランク４０において、開口１４には、ミシン目で繋がれた蓋が設けられ、当該蓋が後壁４４と繋がった形態を採用しても良い。この場合、製品を購入した者がミシン目で繋がった蓋を引きちぎる（または容器内部へ押し込んで取り外す）ことで、開口１４（図１１の実施形態の場合は、開口６６）を形成して使用することができる。
【符号の説明】
【００４７】
１、６０    包装容器
３    外スリーブ
４    内容器
５    係止爪
６    折り返し部
７    挿入用切り込み
８    上面
９    第１収容室
１０    内容物
１２、６４    一方向入口
１４、６６    開口
１５、５１    フラップ片
１６    収容空間
１７、６８    仕切りフィルム
１８    第２収容室
１９    底面
２０    噛みカス
３０、４０    ブランク
３１    上壁
３２、４２、７２    左側壁
３３、４３、７３    右側壁
３４、４１、７１    底壁
３５    糊代
３６、５３    折り線
３７    凹欠部
４４    後壁
４５    折り返しフラップ
４６    外前壁
４７    内前壁
４８    固定片
４９    前壁
５２    サブフラップ片
６２    取り出し口
６３、６５    蓋
６７、７４    フラップ
７５    第１の収容室
７６    第２の収容室
１７１    後端部
１７２、１７３    縁部
１７４    前方縁部
１７５、１７６    領域
【図１】
2018047913.tif 000003
【図２】
2018047913.tif 000004
【図３】
2018047913.tif 000005
【図４】
2018047913.tif 000006
【図５】
2018047913.tif 000007
【図６】
2018047913.tif 000008
【図７】
2018047913.tif 000009
【図８】
2018047913.tif 000010
【図９】
2018047913.tif 000011
【図１０】
2018047913.tif 000012
【図１１】
2018047913.tif 000013
【図１２】
2018047913.tif 000014
【図１３】
2018047913.tif 000015